(57)【要約】【課題】快適性を向上させつつ、電力消費量を抑制することのできる制御装置等を提供する。【解決手段】制御装置１０は、室内環境に直接的又は間接的に関与する複数の対象装置（例えば、空気清浄装置、換気装置、冷暖房装置、送風装置、及び、照明装置）を制御する。より詳細に、表示制御部１２１は、室内環境において改善を要求するための複数の改善項目を含む操作画面を生成し、端末装置にユーザが任意の改善項目を選択可能に表示させる。装置制御部１２２は、複数の改善項目のうち端末装置にてユーザによって選択された改善項目の順序及びタイミングに基づいて、複数の対象装置のうちから何れか１つ以上の対象装置を制御する。【選択図】図３
2017075759.tif 000002
【特許請求の範囲】
【請求項１】
室内環境に直接的又は間接的に関与する複数の対象装置を、端末装置からのユーザの操作を受けて制御する制御装置であって、
前記室内環境において改善を要求するための複数の改善項目を、前記端末装置に選択可能に表示させる表示制御手段と、
前記複数の改善項目のうち前記端末装置にて選択された改善項目の順序及びタイミングに基づいて、前記複数の対象装置のうちから何れか１つ以上の対象装置を制御する装置制御手段と、
を備える制御装置。
【請求項２】
室内環境に直接的又は間接的に関与する複数の対象装置を、端末装置からのユーザの操作を受けて制御する制御装置であって、
前記室内環境において行われ得る複数の行動項目を、前記端末装置に選択可能に表示させる表示制御手段と、
前記複数の行動項目のうち前記端末装置にて選択された行動項目の順序及びタイミングに基づいて、前記複数の対象装置のうちから何れか１つ以上の対象装置を制御する装置制御手段と、
を備える制御装置。
【請求項３】
前記表示制御手段は、前記室内環境を適用すべき部屋を選択するための部屋項目を更に表示させ、
前記装置制御手段は、前記端末装置にて選択された前記部屋項目に応じた部屋に関連する前記対象装置に絞り込んで制御する、
請求項１又は２に記載の制御装置。
【請求項４】
前記表示制御手段は、前記複数の行動項目を、スケジュール登録可能に表示させ、
前記端末装置にてスケジュール登録された行動項目の時刻管理を行う時刻管理手段を更に備え、
前記装置制御手段は、前記時刻管理手段によって時刻管理され、時刻が到来した行動項目の順序及びタイミングに基づいて、前記複数の対象装置のうちから何れか１つ以上の対象装置を制御する、
請求項２に記載の制御装置。
【請求項５】
前記表示制御手段及び前記装置制御手段は、宅外のネットワークを介して、前記端末装置と通信を行う、
請求項１から４の何れか１項に記載の制御装置。
【請求項６】
室内環境に直接的又は間接的に関与する複数の対象装置を制御する空気調和システムであって、
前記室内環境において改善を要求するための複数の改善項目からユーザの操作に応じて何れかの改善項目を選択する選択手段と、
前記複数の改善項目のうち前記選択手段により選択された改善項目の順序及びタイミングに基づいて、前記複数の対象装置のうちから何れか１つ以上の対象装置を制御する装置制御手段と、
を備える空気調和システム。
【請求項７】
室内環境に直接的又は間接的に関与する複数の対象装置を制御する制御方法であって、
前記室内環境において改善を要求するための複数の改善項目からユーザの操作に応じて何れかの改善項目を選択する選択ステップと、
前記複数の改善項目のうち前記選択ステップにて選択された改善項目の順序及びタイミングに基づいて、前記複数の対象装置のうちから何れか１つ以上の対象装置を制御する装置制御ステップと、
を備える制御方法。
【発明の詳細な説明】
【技術分野】
【０００１】
本発明は、快適性を向上させつつ、電力消費量を抑制することのできる制御装置、空気調和システム、及び、制御方法に関する。
【背景技術】
【０００２】
従来より、空気調和システムには、様々な技術が取り入れられている。例えば、空気環境（空気の洗浄度等）を改善するための技術、温熱環境（温冷感及び熱負荷等）を改善するための技術、そして、空気環境及び温熱環境の両方を改善するための技術などである。
【０００３】
まず、空気環境を改善する先行技術については、特許文献１に開示されている。特許文献１に記載の環境管理装置は、室外の空気質が室内の空気質よりも良好であれば換気設備を動作させ、一方、室外の空気質よりも室内の空気質が良好であれば空気清浄機と空調設備との少なくとも一方を動作させることで、空気環境を改善している。
【０００４】
また、温熱環境を改善する先行技術については、特許文献２に開示されている。特許文献２に記載の熱交換換気システムは、夏季に換気量を増加して排熱し、一方、冬期に換気量を減少させることで、温冷感の改善や冷暖房負荷を削減している。
【０００５】
更に、空気環境及び温熱環境の両方を改善する先行技術については、特許文献３に開示されている。特許文献３に記載の花粉除去システムは、カレンダ機能（タイマ）によって、冬期及び花粉の時期に、換気量を削減することで、空気環境と温熱環境の両方を改善している。
【先行技術文献】
【特許文献】
【０００６】
【特許文献１】特開２０１４−１４２１６４号公報
【特許文献２】特開２０１３−４４４９８号公報
【特許文献３】特開２００６−４６６８３号公報
【発明の概要】
【発明が解決しようとする課題】
【０００７】
最近では、室内環境を最適にするために、上述した空気環境及び温熱環境に加え、音振動環境（騒音等）までも考慮して、換気装置や空気清浄装置等の各装置を制御することが求められている。それでも、これらを全て考慮し、ユーザが各装置を手動で操作（設定変更等）することは、大変難しいだけでなく、甚だ不便である。なお、換気装置と空気洗浄装置とを自動制御するために両装置を一体化した装置も存在するが、大変高価であるだけでなく、既存の装置と取り替えるための工事費用や手間もかかってしまう。
【０００８】
そのため、上述した特許文献１の環境管理装置に、特許文献２，３の技術を適用して、センサとカレンダ機能とを用いて、各装置（換気装置及び空気洗浄装置等）を自動制御することも考えられる。この場合、既存の装置を使用できるため、コストの上昇を抑えることができる。
しかしながら、センサから得られた情報やカレンダ通りに画一的な制御を行ったとしても、ユーザの意向が何ら反映されていないため、快適性を損なったり、また、電力を無駄に消費してしまうことが懸念される。
これらのことから、快適性を向上させつつ、電力消費量を抑制する技術が求められていた。
【０００９】
本発明は、上記課題を解決するためになされたもので、快適性を向上させつつ、電力消費量を抑制することのできる制御装置、空気調和システム、及び、制御方法を提供することを目的とする。
【課題を解決するための手段】
【００１０】
上記目的を達成するために、本発明に係る制御装置は、
室内環境に直接的又は間接的に関与する複数の対象装置を、端末装置からのユーザの操作を受けて制御する制御装置であって、
前記室内環境において改善を要求するための複数の改善項目を、前記端末装置に選択可能に表示させる表示制御手段と、
前記複数の改善項目のうち前記端末装置にて選択された改善項目の順序及びタイミングに基づいて、前記複数の対象装置のうちから何れか１つ以上の対象装置を制御する装置制御手段と、
を備える。
【発明の効果】
【００１１】
本発明によれば、快適性を向上させつつ、電力消費量を抑制することができる。
【図面の簡単な説明】
【００１２】
【図１】本発明の実施形態に係る空気調和システムの全体構成の一例を示すブロック図である。
【図２】装置の配置等を説明するための間取り図（住居内の１階部分）である。
【図３】制御装置の構成の一例を示すブロック図である。
【図４】装置情報の一例を示す模式図である。
【図５】配置情報の一例を示す模式図である。
【図６】項目情報の一例を示す模式図である。
【図７】選択履歴情報の一例を示す模式図である。
【図８】室内環境改善の操作画面の一例を示す模式図である。
【図９】本発明の実施形態に係る制御処理の一例を示すフローチャートである。
【図１０】行動選択の操作画面の一例を示す模式図である。
【図１１】部屋を指定することのできる室内環境改善の操作画面の一例を示す模式図である。
【発明を実施するための形態】
【００１３】
以下、本発明の実施形態について、図面を参照しながら詳細に説明する。なお、図中同一又は相当部分には同一符号を付す。以下では、住居内の室内環境を改善する空気調和システムを一例として説明するが、後述するように、ビル内の室内環境（フロア内環境等）を改善する空調調和システムについても同様に本発明を適用することができる。すなわち、以下に説明する実施形態は説明のためのものであり、本発明の範囲を制限するものではない。従って、当業者であればこれらの各要素又は全要素をこれと均等なものに置換した実施形態を採用することが可能であるが、これらの実施形態も本発明の範囲に含まれる。
【００１４】
（実施形態）
図１は、本発明の実施形態に係る空気調和システム１の全体構成の一例を示すブロック図である。図示するように、空気調和システム１は、システム全体を制御する制御装置１０と、ユーザに操作される端末装置２０と、室内環境の指標となる情報を検出するセンサ３０と、室内の空気を清浄する空気清浄装置４０と、室内の空気と外気とを入れ換える換気装置５０と、室内の空気を冷却又は加熱する冷暖房装置６０と、室内の空気を循環させる送風装置７０と、室内を照らす照明装置８０とを備えている。
【００１５】
これら、制御装置１０、センサ３０、空気清浄装置４０、換気装置５０、冷暖房装置６０、送風装置７０、及び、照明装置８０は、住居Ｈ内に配置され（後述するように、各部屋に適宜配置され）、それぞれ、宅内ネットワークＮ１を介して通信可能に接続されている。なお、宅内ネットワークＮ１は、例えば、有線ＬＡＮ（Local Area Network）や無線ＬＡＮ等からなる。
また、端末装置２０も、住居Ｈ内で使用される場合に、宅内ネットワークＮ１に接続可能となる。
【００１６】
また、空気調和システム１は、住居Ｈ外に配置されたサーバ９０と通信可能となっている。このサーバ９０は、例えば、ユーザに関する情報など種々の情報を管理している。制御装置１０は、宅外ネットワークＮ２を介してサーバ９０に通信接続し、必要な情報を読み出すことが可能となっている。
【００１７】
制御装置１０は、一例として、住居Ｈ内の各装置を統合的に制御することが可能なＨＥＭＳ（Home Energy Management System）コントローラである。制御装置１０は、端末装置２０からのユーザの操作を受けて、住居Ｈ内の各装置を適宜制御する。なお、制御装置１０の詳細については、後述する。
【００１８】
端末装置２０は、例えば、タブレット端末やスマートフォンなどの携帯端末であり、ユーザによって使用される。なお、端末装置２０は、この他にも、リモコン、壁付モニタ、携帯電話、パソコン、テレビ、及び、カーナビゲーション装置などであってもよい。
この端末装置２０は、住居Ｈ内で使用される場合に、宅内ネットワークＮ１に通信接続して、制御装置１０との通信が可能となっている。また、端末装置２０は、宅外（住居Ｈ外）で使用される場合に、宅外ネットワークＮ２に通信接続して、制御装置１０との通信が可能となっている。
端末装置２０は、通信部の他に表示部や操作部を有しており、制御装置１０（後述する表示制御部１２１）が生成した画面データ（操作画面等）を表示し、ユーザの操作を受け付けて、その操作内容を制御装置１０に送信する。
【００１９】
センサ３０は、例えば、臭い、粉塵、温度、湿度、照度、圧力、人、電力（電流）、通信信号などの室内環境の指標となる情報を検出する。なお、センサ３０は、単体機器である必要はなく、他の装置（一例として、空気清浄装置４０や冷暖房装置６０等）に組み込まれたセンサ機器であってもよい。
【００２０】
空気清浄装置４０は、例えば、各種フィルタを通して空気を循環させることで、室内の空気を清浄する。なお、空気清浄装置４０は、単体装置である必要はなく、他の装置（一例として、冷暖房装置６０等）に組み込まれた空気清浄ユニットであってもよい。また、除湿機や加湿機に空気清浄ユニットが組み込まれていてもよい。
【００２１】
換気装置５０は、例えば、レンジフード、浴室用換気扇、トイレ用換気扇、居室用換気扇などであり、室内の空気と外気とを入れ換える。なお、換気装置５０は、単体装置である必要はなく、他の装置（一例として、空気清浄装置４０や冷暖房装置６０等）に組み込まれた換気ユニットであってもよい。
【００２２】
冷暖房装置６０は、ルームエアコンなどであり、室内の空気を冷却又は加熱する。
【００２３】
送風装置７０は、サーキュレータなどであり、室内の空気を撹拌したり、ある室内空間から他の室内空間へ空気を搬送する。
【００２４】
照明装置８０は、蛍光灯やＬＥＤ（発光ダイオード）などを照明に用いた装置であり、室内の照度を調整可能となっている。
【００２５】
これら、空気清浄装置４０、換気装置５０、冷暖房装置６０、送風装置７０、及び、照明装置８０は、制御装置１０により制御される対象装置であり、より詳細には、住居Ｈ内の各部屋に適宜配置されている。
具体的には、図２の間取り図（住居Ｈの１階部分）に示すように、リビング・ダイニング・キッチン（ＬＤＫ）Ｒ１、寝室Ｒ２、洗面室Ｒ３、浴室Ｒ４、及び、トイレＲ５を含む各部屋に、各対象装置が配置されている。なお、図２の間取り図は、空気の流れを説明するために、空気清浄装置４０及び換気装置５０だけを示し、他の対象装置（冷暖房装置６０、送風装置７０、及び、照明装置８０）は、省略している。
【００２６】
図２に示すように、リビング・ダイニング・キッチンＲ１には、空気清浄装置４０及び換気装置５０（一例として、レンジフード）が配置されており、壁に複数の給気口ＡＳが設けられている。また、浴室Ｒ４には、換気装置５０（一例として、浴室用換気扇）が配置されている。これらの換気装置５０を運転すると、宅内が負圧となるため、各給気口ＡＳから宅内へ外の空気が入るようになっている。
【００２７】
図１に戻って、サーバ９０は、サーバコンピュータなどからなり、ユーザに関する情報（一例として、スケジュール等）、各種装置に関する情報（一例として、装置の機能や消費電力等）、及び、気象に関する情報（一例として、予想気温や予想湿度等）を管理する。
【００２８】
制御装置１０の詳細について、以下、図３を参照して説明する。図３は、制御装置１０の構成の一例を示すブロック図である。図示するように、制御装置１０は、データ記憶部１１と、制御部１２と、宅内通信部１３と、宅外通信部１４とを備える。
【００２９】
データ記憶部１１は、例えば、不揮発性の半導体メモリなどで構成され、種々の情報を記憶する。一例として、データ記憶部１１は、装置情報１１１と、配置情報１１２と、項目情報１１３と、選択履歴情報１１４とを記憶する。
【００３０】
装置情報１１１は、制御対象となる空気清浄装置４０、換気装置５０、冷暖房装置６０、送風装置７０、及び、照明装置８０（各対象装置）についての情報である。具体的に装置情報１１１は、図４に示すように、各対象装置に対応して、低消費電力機能、及び、消費電力等が含まれている。なお、図中の低消費電力機能というのは、通常の消費電力よりも少ない消費電力で稼働できる機能を有しているか否かを示している。
【００３１】
図３に戻って、配置情報１１２は、部屋と設置されている対象装置とを対応付ける情報である。具体的に配置情報１１２は、図５に示すように、ＬＤＫ（リビング・ダイニング・キッチン）、寝室、洗面室、浴室、及び、トイレなどの各部屋に配置されている対象装置が管理されている。
【００３２】
図３に戻って、項目情報１１３は、室内環境の改善を要求するための改善項目についての情報である。具体的に項目情報１１３は、図６に示すように、花粉、ダニのフン、ＰＭ２．５、ほこり、におい、ウィルス、暑い、寒い、設定温度２５℃、及び、静音などの改善項目が管理されている。この項目情報１１３は、制御部１２（後述する表示制御部１２１）が操作画面を生成する際などに使用される。
【００３３】
図３に戻って、選択履歴情報１１４は、ユーザに選択された改善項目の履歴を管理するための情報である。具体的に選択履歴情報１１４は、図７に示すように、時刻と選択項目（選択された改善項目）とが対応付けて管理されている。
【００３４】
図３に戻って、制御部１２は、ＣＰＵ（Central Processing Unit），ＲＯＭ（Read Only Memory），ＲＡＭ（Random Access Memory）等を備え（何れも図示せず）、制御装置１０全体を制御する。制御部１２は、機能的には、表示制御部１２１と、装置制御部１２２とを備える。これらの機能は、ＣＰＵが、ＲＡＭをワークメモリとして用い、例えば、ＲＯＭに記憶されている各種プログラム（後述する制御処理のプログラム等）を適宜実行することにより実現される。
【００３５】
表示制御部１２１は、室内環境において改善を要求するための複数の改善項目を、端末装置２０にてユーザが選択可能に表示させる。
例えば、表示制御部１２１は、上述した項目情報１１３を用いて、図８に示すような操作画面Ｐ１（室内環境改善の操作画面）を生成する。この操作画面Ｐ１では、複数の改善項目がボタンＢｔにてそれぞれ表されている。端末装置２０にこのような操作画面Ｐ１が表示されると、ユーザは、何れかのボタンＢｔを操作することで、所望の改善項目を選択することができる。
【００３６】
図３に戻って、装置制御部１２２は、複数の改善項目のうち端末装置２０にてユーザにより選択された改善項目の順序及びタイミングに基づいて、複数の対象装置のうちから何れか１つ以上の対象装置を制御する。つまり、装置制御部１２２は、制御対象となる装置とその制御内容を決定し、指令データ（制御コマンド等）を対象装置に送信する。
例えば、上述した図８の操作画面Ｐ１において、最初に「におい」のボタンＢｔがユーザに押された（操作された）場合、装置制御部１２２は、素早く脱臭するために、換気装置５０を運転する。具体的に装置制御部１２２は、図２に示すリビング・ダイニング・キッチンＲ１の空気清浄装置４０及び換気装置５０（一例として、レンジフード）と、浴室Ｒ４の換気装置５０（一例として、浴室用換気扇）とを、それぞれ強風で運転させる。
その後、しばらくして、「静音」のボタンＢｔがユーザに押された場合、装置制御部１２２は、リビング・ダイニング・キッチンＲ１の換気装置５０だけ、運転を停止させる。
【００３７】
更に、時間が経過した後、「寒い」のボタンＢｔがユーザに押された場合、装置制御部１２２は、リビング・ダイニング・キッチンＲ１の空気清浄装置４０を弱風で運転させる。
また、装置制御部１２２は、設定温度と室温（センサ３０から取得した温度）とを比較し、室温が設定温度よりも高い場合に、浴室Ｒ４の換気装置５０を２４時間運転用の風量に戻す。一方、室温が設定温度よりも低い場合に、浴室Ｒ４の換気装置５０を２４時間運転用の風量に戻すとともに、冷暖房装置６０を暖房運転させる。
更に、一定時間が経過した後、装置制御部１２２は、センサ３０から取得した臭いの値を評価し、臭いの値が十分に低下していれば、空気清浄装置４０の運転を停止させる。そして、装置制御部１２２は、送風装置７０を運転させ、空気を撹拌し、上下の室温分布を解消する。
なお、「リセット」のボタンＢｔがユーザに押された場合、装置制御部１２２は、浴室Ｒ４の換気装置５０を２４時間運転用の風量で運転させ、他の対象装置の運転を全て停止させる。
【００３８】
このように、装置制御部１２２は、複数の改善項目のうち端末装置２０にてユーザにより選択された改善項目の順序及びタイミングに基づいて、複数の対象装置（空気清浄装置４０、換気装置５０、冷暖房装置６０、送風装置７０、及び、照明装置８０）のうちから何れか１つ以上の対象装置を制御する。
【００３９】
宅内通信部１３は、例えば、宅内ネットワークＮ１に接続するための通信ユニットであり、制御部１２による制御の下、端末装置２０、センサ３０、空気清浄装置４０、換気装置５０、冷暖房装置６０、送風装置７０、及び、照明装置８０との通信を行う。例えば、宅内通信部１３は、表示制御部１２１が生成した画面データ（上述した操作画面Ｐ１等）を端末装置２０に送信する。また、宅内通信部１３は、端末装置２０にて任意の改善項目が選択されると、端末装置２０から、選択された改善項目を示す情報を受信する。また、宅内通信部１３は、装置制御部１２２が生成した指令データ（制御コマンド等）を対象装置に送信する。
【００４０】
宅外通信部１４は、例えば、外部の宅外ネットワークＮ２に接続するための通信アダプタであり、制御部１２による制御の下、外部のサーバ９０との通信を行う。また、端末装置２０が宅外（住居Ｈ外）で使用される場合に、宅外通信部１４は、端末装置２０との通信を行う。
【００４１】
以下、本発明の実施形態に係る制御装置１０の動作について、図９を参照して説明する。図９は、制御装置１０が実行する制御処理の一例を示すフローチャートである。この制御処理は、例えば、制御部１２（表示制御部１２１）が生成した画面データ（具体的には、図８の操作画面Ｐ１）を端末装置２０に送信した後に、実行される（開始される）。
【００４２】
まず、制御部１２は、項目が選択されたか否かを判別する（ステップＳ１０１）。すなわち、上述した図８の操作画面Ｐ１が、端末装置２０に表示されている状態で、何れかのボタンＢｔがユーザによって操作されたかどうかを判別する。
【００４３】
制御部１２は、項目が選択されたと判別すると（ステップＳ１０１；Ｙｅｓ）、選択履歴情報１１４等を参照し、制御対象と制御内容とを決定する（ステップＳ１０２）。
すなわち、装置制御部１２２は、複数の改善項目のうち端末装置２０にてユーザにより選択された改善項目の順序及びタイミングに基づいて、複数の対象装置のうちから何れか１つ以上の対象装置とその制御内容とを決定する。
【００４４】
例えば、操作画面Ｐ１において、最初に「におい」のボタンＢｔがユーザに操作され、改善項目として「におい」が選択された場合、装置制御部１２２は、素早く脱臭するために、図２に示すリビング・ダイニング・キッチンＲ１の空気清浄装置４０及び換気装置５０（一例として、レンジフード）と、浴室Ｒ４の換気装置５０（一例として、浴室用換気扇）とを制御対象とし、それぞれの制御内容を強風に決定する。
また、既に「におい」が選択された後であることを選択履歴情報１１４から把握できる状態で、改善項目として「静音」が選択された場合、装置制御部１２２は、リビング・ダイニング・キッチンＲ１の換気装置５０を制御対象とし、その制御内容を停止に決定する。
また、既に、「におい」、及び、「静音」が選択された後であることを選択履歴情報１１４から把握できる状態で、改善項目として「寒い」が選択された場合、装置制御部１２２は、リビング・ダイニング・キッチンＲ１の空気清浄装置４０を制御対象とし、その制御内容を弱風に決定する。
このように、装置制御部１２２は、複数の改善項目のうち端末装置２０にてユーザにより選択された改善項目の順序及びタイミングに基づいて、複数の対象装置のうちから何れか１つ以上の対象装置とその制御内容とを決定する。
【００４５】
制御部１２は、決定した制御対象に対して、決定した制御内容を指令する（ステップＳ１０３）。
すなわち、装置制御部１２２は、上記のステップＳ１０２にて決定した対象装置に対して、決定した制御内容（制御コマンド等）を、宅内通信部１３から送信する。
【００４６】
制御部１２は、選択履歴情報１１４を更新する（ステップＳ１０４）。例えば、制御部１２は、取得した現在時刻と対応付けて、ユーザに選択された改善項目を選択履歴情報１１４に追加して記憶する。
【００４７】
また、上述したステップＳ１０１にて、項目が選択されていないと判別した場合（ステップＳ１０１；Ｎｏ）に、制御部１２は、センサ情報を取得する（ステップＳ１０５）。つまり、制御部１２は、センサ３０にて検出された臭いや温度などの情報を取得する。
【００４８】
制御部１２は、制御が必要か否かを判別する（ステップＳ１０６）。つまり、制御部１２は、センサ３０にて検出された臭いや温度などの情報から何れかの対象装置の制御が必要かどうかを判別する。
【００４９】
制御部１２は、制御が必要でないと判別すると（ステップＳ１０６；Ｎｏ）、上述したステップＳ１０１に処理を戻す。
【００５０】
一方、制御が必要であると判別した場合（ステップＳ１０６；Ｙｅｓ）に、制御部１２は、制御対象に対して制御内容を指令する（ステップＳ１０７）。
すなわち、装置制御部１２２は、センサ３０にて検出された臭いや温度などの情報から制御が必要となった対象装置に必要な制御内容を指令する。
【００５１】
例えば、既に、「寒い」が選択された後であることを選択履歴情報１１４から把握できる状態で、室温が設定温度よりも高い場合に、装置制御部１２２は、図２に示す浴室Ｒ４の換気装置５０に対して、２４時間運転用の風量に戻す指令を発する。一方、室温が設定温度よりも低い場合に、装置制御部１２２は、浴室Ｒ４の換気装置５０に対して、２４時間運転用の風量に戻す指令を発すると共に、冷暖房装置６０に対して、暖房運転の指令を発する。
また、既に、「におい」が選択された後であることを選択履歴情報１１４から把握できる状態で、臭いの値が十分に低下している場合に、装置制御部１２２は、空気清浄装置４０に対して、停止を指令すると共に、送風装置７０に対して運転を指令して、空気を撹拌させ、上下の室温分布を解消する。
【００５２】
このような制御処理を行うことで、空気環境（空気の洗浄度等）、温熱環境（温冷感及び熱負荷等）、及び、音振動環境（騒音等）を含めた室内環境を、ユーザの意向を反映させて適切に制御できる。つまり、ユーザが所望の改善項目を選択するだけで、必要最小限の対象機器を適切に制御することができる。
この結果、快適性を向上させつつ、電力消費量を抑制することができる。
【００５３】
（他の実施形態）
上記の実施形態では、制御部１２（表示制御部１２１）が、室内環境において改善を要求するための複数の改善項目を、端末装置２０にてユーザが選択可能に表示させる場合について説明した。つまり、上述した図８に示すような操作画面Ｐ１を表示制御部１２１が生成し、端末装置２０に表示する場合について説明したが、他の操作画面を端末装置２０に表示するようにしてもよい。
【００５４】
例えば、表示制御部１２１は、図１０に示すような操作画面Ｐ２（行動選択の操作画面）を生成する。この操作画面Ｐ２では、複数の行動項目（起床、就寝、調理、そうじ、テレビ、外出、及び、帰宅）がボタンＢｔにてそれぞれ表されている。なお、これらの行動項目は、一例であり、他に、洗濯室内干し、映画鑑賞、及び、音楽鑑賞などを含めてもよい。
【００５５】
この場合、装置制御部１２２は、複数の行動項目のうち端末装置２０にてユーザにより選択された行動項目の順序及びタイミングに基づいて、複数の対象装置のうちから何れか１つ以上の対象装置を制御する。
例えば、図１０の操作画面Ｐ２において、最初に「調理」のボタンＢｔがユーザに押された場合、装置制御部１２２は、素早く脱臭するために、換気装置５０を運転する。具体的に装置制御部１２２は、図２に示すリビング・ダイニング・キッチンＲ１の空気清浄装置４０及び換気装置５０（一例として、レンジフード）と、浴室Ｒ４の換気装置５０（一例として、浴室用換気扇）とを、それぞれ強風で運転させる（つまり、上述した図８の操作画面Ｐ１において、「におい」のボタンＢｔが押された場合と同じ制御を行う）。
その後、しばらくして、「テレビ」のボタンＢｔがユーザに押された場合、装置制御部１２２は、リビング・ダイニング・キッチンＲ１の換気装置５０だけ、運転を停止させる。なお、図示せぬ「映画鑑賞」のボタンが押された場合では、装置制御部１２２は、更に、照明装置８０を少し暗くさせてもよい。
【００５６】
このように、装置制御部１２２は、複数の行動項目のうち端末装置２０にてユーザにより選択された行動項目の順序及びタイミングに基づいて、複数の対象装置（空気清浄装置４０、換気装置５０、冷暖房装置６０、送風装置７０、及び、照明装置８０）のうちから何れか１つ以上の対象装置を制御する。
【００５７】
この場合も、空気環境、温熱環境、及び、音振動環境を含めた室内環境を、ユーザの意向を反映させて適切に制御できる。つまり、ユーザが所望の行動項目を選択するだけで、必要最小限の対象機器を適切に制御することができる。
この結果、快適性を向上させつつ、電力消費量を抑制することができる。
【００５８】
上記の実施形態では、改善項目や行動項目だけをユーザが選択できる場合について説明したが、ユーザが対象の部屋を選択できるようにしてもよい。
例えば、表示制御部１２１は、図１１に示すような操作画面Ｐ３（室内環境改善の操作画面）を生成する。この操作画面Ｐ３では、各部屋を選択するためのタブＴｂが含まれている。ユーザが何れかのタブＴｂを操作して制御対象となる部屋（図１１では、寝室）を選択すると、その部屋において改善可能な改善項目（暑い、寒い、設定温度２５℃、及び、静音）がボタンＢｔにてそれぞれ表される。
この場合、装置制御部１２１は、端末装置にて選択された部屋に関連する対象装置に絞り込んで制御することになる。
【００５９】
上記の実施形態では、改善項目、行動項目、及び、部屋をユーザがその都度選択する場合について説明したが、行動項目（一例として、外出、帰宅、及び、起床）など予めスケジュールとして登録できるものは登録しておくことで、その時間になると自動的に、装置制御部１２２が制御を行うようにしてもよい。
例えば、制御部１２は、端末装置にてスケジュール登録された行動項目の時刻管理を更に行うようにする。そして、装置制御部１２２は、時刻管理される行動項目のうち、時刻が到来した行動項目の順序及びタイミングに基づいて、複数の対象装置のうちから何れか１つ以上の対象装置を制御する。
【００６０】
更に、端末装置２０が、スマートフォンやカーナビゲーション装置である場合には、ＧＰＳ機能によって帰宅予定時刻を求めることが可能であるため、装置制御部１２２は、その帰宅予定時刻を端末装置２０から取得すると、上述した図１０の操作画面Ｐ２における「帰宅」ボタンＢｔが押された場合と同じ制御を実行するようにしてもよい。また、装置制御部１２２は、帰宅予定時刻を端末装置２０から取得すると、上述した図８の操作画面Ｐ１における「におい」ボタンＢｔや「暑い」ボタンＢｔが押された場合と同じ制御を実行するようにしてもよい。
【００６１】
上記の実施形態では、制御装置１０が住宅Ｈに配置された場合について説明したが、制御装置１０を住宅Ｈ外に配置するようにしてもよい。例えば、サーバ９０を制御装置１０として機能させてもよい。
その場合、住宅Ｈ内には、制御装置１０の代わりに、ルータ等の通信装置を配置し、通信装置とサーバ９０とが協業して制御装置１０の役割を果たすようにする。
【００６２】
この場合も、快適性を向上させつつ、電力消費量を抑制することができる。
【００６３】
上記の実施形態では、専用の制御装置１０を用いる場合について説明したが、この制御装置１０の動作を規定する動作プログラムを既存のパーソナルコンピュータや情報端末機器等に適用することで、当該パーソナルコンピュータ等を本発明に係る制御装置１０として機能させることも可能である。
【００６４】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【符号の説明】
【００６５】
１  空気調和システム、１０  制御装置、１１  データ記憶部、１１１  装置情報、１１２  配置情報、１１３  項目情報、１１４  選択履歴情報、１２  制御部、１２１  表示制御部、１２２  装置制御部、１３  宅内通信部、１４  宅外通信部、２０  端末装置、３０  センサ、４０  空気清浄装置、５０  換気装置、６０  冷暖房装置、７０  送風装置、８０  照明装置、９０  サーバ
【図１】
2017075759.tif 000003
【図２】
2017075759.tif 000004
【図３】
2017075759.tif 000005
【図４】
2017075759.tif 000006
【図５】
2017075759.tif 000007
【図６】
2017075759.tif 000008
【図７】
2017075759.tif 000009
【図８】
2017075759.tif 000010
【図９】
2017075759.tif 000011
【図１０】
2017075759.tif 000012
【図１１】
2017075759.tif 000013
【手続補正書】
【提出日】平成29年2月6日(2017.2.6)
【手続補正１】
【補正対象書類名】明細書
【補正対象項目名】００１０
【補正方法】変更
【補正の内容】
【００１０】
上記目的を達成するために、本発明に係る制御装置は、
室内環境に直接的又は間接的に関与する複数の対象装置を、端末装置からのユーザの操作を受けて制御する制御装置であって、
前記室内環境において改善を要求するための複数の改善項目を、前記端末装置に選択可能に表示させる表示制御手段と、
前記複数の改善項目のうち前記端末装置にて順次選択された改善項目に基づいて、前記複数の対象装置のうちから何れか１つ以上の対象装置を制御する装置制御手段と、を備え、
前記装置制御手段は、選択済みの改善項目と今回選択された改善項目との関係で、制御する機器と制御内容を決定して制御する。
【手続補正２】
【補正対象書類名】特許請求の範囲
【補正対象項目名】全文
【補正方法】変更
【補正の内容】
【特許請求の範囲】
【請求項１】
室内環境に直接的又は間接的に関与する複数の対象装置を、端末装置からのユーザの操作を受けて制御する制御装置であって、
前記室内環境において改善を要求するための複数の改善項目を、前記端末装置に選択可能に表示させる表示制御手段と、
前記複数の改善項目のうち前記端末装置にて順次選択された改善項目に基づいて、前記複数の対象装置のうちから何れか１つ以上の対象装置を制御する装置制御手段と、を備え、
前記装置制御手段は、選択済みの改善項目と今回選択された改善項目との関係で、制御する機器と制御内容を決定して制御する、
制御装置。
【請求項２】
室内環境に直接的又は間接的に関与する複数の対象装置を、端末装置からのユーザの操作を受けて制御する制御装置であって、
前記室内環境において行われ得る複数の行動項目を、前記端末装置に選択可能に表示させる表示制御手段と、
前記複数の行動項目のうち前記端末装置にて順次選択された行動項目に基づいて、前記複数の対象装置のうちから何れか１つ以上の対象装置を制御する装置制御手段と、を備え、
前記装置制御手段は、選択済みの行動項目と今回選択された行動項目との関係で、制御する機器と制御内容を決定して制御する、
制御装置。
【請求項３】
前記表示制御手段は、前記室内環境を適用すべき部屋を選択するための部屋項目を更に表示させ、
前記装置制御手段は、前記端末装置にて選択された前記部屋項目に応じた部屋に関連する前記対象装置に絞り込んで制御する、
請求項１又は２に記載の制御装置。
【請求項４】
前記表示制御手段は、前記複数の行動項目を、スケジュール登録可能に表示させ、
前記端末装置にてスケジュール登録された行動項目の時刻管理を行う時刻管理手段を更に備え、
前記装置制御手段は、前記時刻管理手段によって時刻管理され、順次時刻が到来した行動項目に基づいて、前記複数の対象装置のうちから何れか１つ以上の対象装置を制御する、
請求項２に記載の制御装置。
【請求項５】
前記表示制御手段及び前記装置制御手段は、宅外のネットワークを介して、前記端末装置と通信を行う、
請求項１から４の何れか１項に記載の制御装置。
【請求項６】
室内環境に直接的又は間接的に関与する複数の対象装置を制御する空気調和システムであって、
前記室内環境において改善を要求するための複数の改善項目からユーザの操作に応じて何れかの改善項目を選択する選択手段と、
前記複数の改善項目のうち前記選択手段により順次選択された改善項目に基づいて、前記複数の対象装置のうちから何れか１つ以上の対象装置を制御する装置制御手段と、を備え、
前記装置制御手段は、選択済みの改善項目と今回選択された改善項目との関係で、制御する機器と制御内容を決定して制御する、
空気調和システム。
【請求項７】
室内環境に直接的又は間接的に関与する複数の対象装置を制御する制御方法であって、
前記室内環境において改善を要求するための複数の改善項目からユーザの操作に応じて何れかの改善項目を選択する選択ステップと、
前記複数の改善項目のうち前記選択ステップにて順次選択された改善項目に基づいて、前記複数の対象装置のうちから何れか１つ以上の対象装置を制御する装置制御ステップと、を備え、
前記装置制御ステップでは、選択済みの改善項目と今回選択された改善項目との関係で、制御する機器と制御内容を決定して制御する、
制御方法。